(57)【特許請求の範囲】
【請求項１】
ケース体の内部における一側部に電動モータ、他側部に前記電動モータによって駆動される圧縮ポンプを備え、前記電動モータは前記圧縮ポンプより重く、前記圧縮ポンプは振動発生源となり、この圧縮ポンプ側に冷媒管が連結されてなる横型ロータリ圧縮機を支持する据付機構であって、前記ケース体の電動モータ側は、ばね定数が小さいコイルスプリングからなる第１の支持部材を用いて支持固定し、前記圧縮ポンプ側は、ばね定数が前記コイルスプリングよりも大きい硬質ゴムからなる第２の支持部材を用いて支持固定することを特徴とする横型ロータリ圧縮機の据付機構。
【請求項２】
前記第１の支持部材及び第２の支持部材はそれぞれ複数の支持部材からなり、前記第１の支持部材同士、前記第２の支持部材同士はそれぞればね定数が相違するように構成されていることを特徴とする請求項１に記載の横型ロータリ圧縮機の据付機構。
【発明の詳細な説明】
【０００１】
【発明の属する技術分野】
本発明は、振動発生源となる圧縮ポンプを備えると共に、この圧縮ポンプより重い電動モータを備えて重心に偏りが生じている横型ロータリ圧縮機の据付機構に関する。
【０００２】
【従来の技術】
この種の機械装置の据付機構としては、例えば特開平５−９９１４３号公報に提案された図５に示す構成が周知である。図５において、１００は冷媒圧縮機などの運転時に振動が発生する機械装置、２００は機械装置１００を据え付けるための台板、５は機械装置１００のケース体１に取り付けられた据付足、１５は台板２００に取り付けられた支柱、１６は下ゴム１７と上ゴム１８との間に介設されたコイルスプリング、１９は上ゴム１８とコイルスプリング１６と下ゴム１７からなる防振支持装置が外れないようにするための止め金である。
【０００３】
従来の据付機構は以上のように構成されているので、コイルスプリング１６によって回転周波数成分の防振を行い、下ゴム１７および上ゴム１８によってコイルスプリング１６のサージング現象をゴムの内部減衰によって抑える機能に加え、下ゴム１７に形成された突起部１７ｂによって更に柔らかいばねが直列に追加された形になるため、突起部１７ｂによるゴムばねによってコイルスプリング１６のサージング周波数帯の成分に対し、十分に防振効果を発揮し、台板２００への振動伝達が防止できるようになったとされている。
【０００４】
しかし、柔らかい即ちばね定数が小さい支持手段を介して機械装置１００を台板２００に据え付ける機構では、機械装置１００自体の振動は激しく、従って例えば図６に示したように振動発生源となる圧縮ポンプ３が偏心して設置されている横型ロータリ圧縮機などの機械装置１００では、ケース体１における圧縮ポンプ３側に連結した冷媒管４の変位δは、管長をＬ、回転方向変位をθとするとδ＝Ｌθで与えられ、更に剪断応力は変位δに比例して大きくなるので、冷媒管４が破損しないようにするためには、管自体を頑丈にすると共に、冷媒管４を固定する部材も頑丈にしなければならないと云った問題があった。
【０００５】
【発明が解決しようとする課題】
従って、横型ロータリ圧縮機などの機械装置の振動が台板に伝わり難くするだけでなく、据え付ける機械装置自体の振動も抑えることのできる据付機構を提供する必要があり、それが解決すべき課題となっていた。
【０００６】
【課題を解決するための手段】
本発明は上記従来技術の課題を解決するため、ケース体の内部における一側部に電動モータ、他側部に前記電動モータによって駆動される圧縮ポンプを備え、前記電動モータは前記圧縮ポンプより重く、前記圧縮ポンプは振動発生源となり、この圧縮ポンプ側に冷媒管が連結されてなる横型ロータリ圧縮機を支持する据付機構であって、前記ケース体の電動モータ側は、ばね定数が小さいコイルスプリングからなる第１の支持部材を用いて支持固定し、前記圧縮ポンプ側は、ばね定数が前記コイルスプリングよりも大きい硬質ゴムからなる第２の支持部材を用いて支持固定するようにした第１の構成の据付機構と、
【０００７】
第１の構成の据付機構において、前記第１の支持部材及び第２の支持部材はそれぞれ複数の支持部材からなり、前記第１の支持部材同士、前記第２の支持部材同士はそれぞればね定数が相違するように構成されている第２の構成の据付機構と、
を提供するものである。
【０００８】
【発明の実施の形態】
以下、本発明に係る横型ロータリ圧縮機の据付機構の一実施形態を図１から図４に基づいて詳細に説明する。尚、理解を容易にするため、これらの図においても前記図５、図６において説明した部分と同様の機能を有する部分には、同一の符号を付した。
【０００９】
機械装置１００は、ケース体１の内部に小さな振動は発生するが殆ど振動が問題とされることのない電動モータ２と、その電動モータ２によって駆動され、電動モータ２の振動に比較すると遥かに大きな振動が発生する圧縮ポンプ３とを備えた横型ロータリ圧縮機である。そして、振動発生源となる圧縮ポンプ３はケース体１の偏心した位置に固定され、この圧縮ポンプ３側に冷媒管４が連結されている。
【００１０】
ケース体１に連結された冷媒管４は、圧縮ポンプ３が所定の高圧に圧縮した冷媒を図示しない空調負荷に供給し、その空調負荷で空調動作をした冷媒を再び圧縮ポンプ３に戻すことができるように取り付けられている。
【００１１】
又、ケース体１の電動モータ２側の端部側下部と、圧縮ポンプ３側の端部側下部にはそれぞれ据付足５が取り付けられており、各据付足５と台板２００とを第１の支持部材６と第２の支持部材７とで連結して、機械装置１００が台板２００に据え付けられている。
【００１２】
そして、第１の支持部材６は図３に示したように構成され、第２の支持部材７は図４に示したように構成されている。
【００１３】
即ち、第１の支持部材６は台板２００に立設されたアンカーボルト８と、そのアンカーボルト８に螺合可能なナット９と、そのアンカーボルト８が遊貫可能な内径を備え、且つ後述する硬質ゴム１０Ａよりもばね定数が小さい金属製のコイルスプリング１０とから構成され、図３に示したように各部材を配置してアンカーボルト８の螺子部にナット９を所定のトルクで締め込むことにより、電動モータ２側の据付足５が台板２００に固定される。
【００１４】
一方、第２の支持部材７は台板２００に立設されたアンカーボルトと、そのアンカーボルトに螺合可能なナット９と、アンカーボルト８が遊貫可能な貫通孔を備えてばね定数が前記コイルスプリング１０より大きい硬質ゴム１０Ａとから構成され、図４に示したように各部材を配置してアンカーボルト８の螺子部にナット９を所定のトルクで締め込むことにより、圧縮ポンプ３側の据付足５が台板２００に固定される。
【００１５】
尚、第１の支持部材６に防振材として使用するコイルスプリング１０は減衰率が小さく、第２の支持部材７に防振材として使用する硬質ゴム１０Ａは減衰率が大きい。そして、固有振動数が１〜１０Ｈｚ程度のコイルスプリング１０と、固有振動数が４〜１５Ｈｚ程度の硬質ゴム１０Ａとは適宜互いに異なる固有振動数を持ったもの、例えばコイルスプリング１０には固有振動数が５Ｈｚのものを使用し、硬質ゴム１０Ａには固有振動数が１５Ｈｚのものを使用する。
【００１６】
ところで、電動モータ２と圧縮ポンプ３とを比較すると、電動モータ２の方が重いので、機械装置１００の重心は第１の支持部材６の側に偏っており、従って重量の多くの部分をばね定数が小さいコイルスプリング１０を備えた第１の支持部材６が支持している。
【００１７】
上記したように本発明の据付機構によれば、機械装置１００は圧縮ポンプ３の側、即ち振動発生源の側が第２の支持部材のばね定数が大きい硬質ゴム１０Ａを介して台板２００の上に載置された状態に据え付けられ、振動発生源から離れた電動モータ２の側が第１の支持部材６のばね定数が小さいコイルスプリング１０を介して台板２００の上に載置された状態に据え付けられるので、圧縮ポンプ３が起動時に振幅の大きな振動を発生するものであっても圧縮ポンプ３の側の回転方向の変位θは小さく抑えられ（図６参照）、これにより前記冷媒管４に作用する剪断応力は小さく抑えられる。
【００１８】
一方、圧縮ポンプ３より重量の大きい電動モータ２の側は、第１の支持部材６のばね定数が小さいコイルスプリング１０によって支持されているため、機械装置１００から台板２００に伝達される振動も小さく抑えられる。
【００１９】
又、コイルスプリング１０の固有振動数と硬質ゴム１０Ａの固有振動数とは大きく相違しているので、機械装置１００の起動時や停止時に圧縮ポンプ３の振動数が変化しても、第１の支持部材６と第２の支持部材７の固有振動数に同時に一致することはないので、機械装置１００が第１、第２の支持部材６，７と共振して激しく揺れることもない。
【００２０】
尚、本発明は上記実施形態に限定されるものではないので、特許請求の範囲に記載の趣旨から逸脱しない範囲で各種の変形実施が可能である。
【００２１】
例えば、ケース体１の圧縮ポンプ３側全体が支持できるように、第２の支持部材７の硬質ゴム１０Ａを短冊状に細長く形成し、その両端部にアンカーボルト８が遊貫可能な貫通孔を設け、そこにアンカーボルト８を遊貫させ、ナット９を螺合して固定するように構成することも可能である。
【００２２】
又、第１の支持部材６と第２の支持部材７の防振材のばね定数を相違させるだけでなく、第１の支持部材６同士、第２の支持部材７同士それぞれの防振材のばね定数も相違するように構成することも可能である。
【００２３】
同様に、第１の支持部材６、第２の支持部材７同士それぞれの防振材の固有振動数も相違するように構成することが可能である。
【００２４】
又、第１の支持部材６及び第２の支持部材７の防振材としては、コイルスプリング１０、硬質ゴム１０Ａの他にも、オイルダンパ、空気ダンパなどが単独或は組み合わせて使用できる。
【００２５】
【発明の効果】
以上説明したように、本発明はケース体の内部における一側部に電動モータ、他側部に前記電動モータによって駆動される圧縮ポンプを備え、前記電動モータは前記圧縮ポンプより重く、前記圧縮ポンプは振動発生源となり、この圧縮ポンプ側に冷媒管が連結されてなる横型ロータリ圧縮機を支持する据付機構であって、前記ケース体の電動モータ側は、ばね定数が小さいコイルスプリングからなる第１の支持部材を用いて支持固定し、前記圧縮ポンプ側は、ばね定数が前記コイルスプリングよりも大きい硬質ゴムからなる第２の支持部材を用いて支持固定するので、横型ロータリ圧縮機の起動時や停止時に、振幅の大きな振動を発生する圧縮ポンプ側の変位は小さく抑えられ、これにより圧縮ポンプ側に連結された冷媒管に作用する剪断応力を小さく抑えることができる。又、起動時や停止時に、圧縮ポンプの振動数が変化しても、第１の支持部材と第２の支持部材の固有振動数に同時に一致することはないので、横型ロータリ圧縮機が第１の支持部材と第２の支持部材との共振によって激しく揺れることはない。
【図面の簡単な説明】
【図１】本発明に係る横型ロータリ圧縮機の据付機構の一実施形態を示す正面説明図である。
【図２】本発明に係る横型ロータリ圧縮機の据付機構の一実施形態を示す平面説明図である。
【図３】本発明に係る横型ロータリ圧縮機の据付機構の一実施形態における第１の支持部材を示す説明図である。
【図４】本発明に係る横型ロータリ圧縮機の据付機構の一実施形態における第２の支持部材を示す説明図である。
【図５】従来技術を示す説明図である。
【図６】従来の横型ロータリ圧縮機の据付機構を示す説明図である。
【符号の説明】
１  ケース体
２  電動モータ
３  圧縮ポンプ
４  冷媒管
５  据付足
６  第１の支持部材
７  第２の支持部材
８  アンカーボルト
９  ナット
１０  コイルスプリング
１０Ａ  硬質ゴム
１００  機械装置
２００  台板
【図１】
0003863724.tif 000002
【図２】
0003863724.tif 000003
【図３】
0003863724.tif 000004
【図４】
0003863724.tif 000005
【図５】
0003863724.tif 000006
【図６】
0003863724.tif 000007